(57)【要約】【課題】表示部の周囲の環境が代わっても、表示内容の視認に適する画面を実現する画面処理装置、画面処理方法および画面処理用プログラムを得ること。【解決手段】背景表示特性設定手段１２と単色画像表示特性設定手段１３および環境光設定手段１４によって得られるパラメータは固定値設定手段１６によって所定数のパラメータを残して固定値にされ、残った所定数のパラメータは視認性特性テーブル格納手段１５を参照して視認性が適正となる値が選択され、設定手段調整手段１７によって、表示部１１の表示を視認性が高いものに制御するために背景表示特性設定手段１２あるいは単色画像表示特性設定手段１３に供給される。【選択図】図１
2010091911.tif 000002
【特許請求の範囲】
【請求項１】
表示部と、
この表示部に表示される背景の表示特性としての背景表示特性を設定する背景表示特性設定手段と、
前記表示部に表示される単色画像の表示特性としての単色画像表示特性を設定する単色画像表示特性設定手段と、
外部空間内に一様に分布する光としての環境光の照度と色度をそれぞれ設定する環境光設定手段と、
この環境光設定手段で設定される環境光の照度と色度と、前記背景表示特性設定手段で設定される背景表示特性および単色画像表示特性設定手段で設定される単色画像表示特性と、前記表示部における前記単色画像を明確に認識することができる度合いとしての視認性の関係を予め記載した視認性特性テーブルを格納した視認性特性テーブル格納手段と、
この視認性特性テーブル格納手段に格納されたパラメータとしての前記環境光の照度と色度と、前記背景表示特性および前記単色画像表示特性のうちの任意に選択された所定数のパラメータとしての選択パラメータを除いた残りの全部のパラメータとしての非選択パラメータを固定値に設定する第１の固定値設定手段と、
この第１の固定値設定手段によって前記非選択パラメータを固定値に設定した状態で前記視認性特性テーブル格納手段を参照して前記視認性が適正となる値で前記表示部の表示が行われるように前記背景表示特性設定手段あるいは単色画像表示特性設定手段の設定値を調整する設定手段調整手段
とを具備することを特徴とする画面処理装置。
【請求項２】
前記視認性が適正となる値は、視認性が最大となる値であることを特徴とする請求項１記載の画面処理装置。
【請求項３】
前記視認性特性テーブル格納手段に格納されたパラメータとしての前記環境光の照度と色度と、前記背景表示特性および前記単色画像表示特性を構成するそれぞれのパラメータを所定の固定値に仮に設定する第２の固定値設定手段と、
この第２の固定値設定手段で仮に設定した固定値で前記視認性特性テーブルを参照して視認性を示す値を算出する視認性値算出手段と、
この視認性値算出手段によって算出した視認性値が所定のしきい値を越えるか否かを判別するしきい値比較手段と、
このしきい値比較手段でしきい値を越えていなかったと判別されたとき、前記第２の固定値設定手段で仮に設定した固定値のうちの所定数を固定前のパラメータに戻すと共に残りの仮に設定した固定値を固定値として確定させる変更手段
とを備え、
前記設定手段調整手段は、前記しきい値比較手段でしきい値を越えていると判別された場合以外には前記視認性特性テーブルを参照して前記変更手段によって戻されたパラメータがどの値をとるとき視認性が前記所定のしきい値を越えるかを判別し、この値を残りの固定値に設定する一方、前記しきい値比較手段でしきい値を越えていると判別されたときには前記第２の固定値設定手段で仮に設定した値をすべて固定値に設定することを特徴とする請求項１記載の画面処理装置。
【請求項４】
前記単色画像は、単色の文字あるいは図形であることを特徴とする請求項１記載の画面処理装置。
【請求項５】
前記背景表示特性および単色画像表示特性は、それぞれ色相、彩度、明度によって表示特性を規定することを特徴とする請求項１記載の画面処理装置。
【請求項６】
前記環境光の照度と色度を位置と時間と天候によって判別する環境光読み替え情報記憶部と、位置と時間を判別するＧＰＳ（Global Positioning System）部を具備し、前記環境光読み替え情報記憶部から前記環境光の照度と色度が前記環境光設定手段の設定のために出力されることを特徴とする請求項１記載の画面処理装置。
【請求項７】
表示部に表示される背景の表示特性としての色相、彩度、明度および前記表示部に表示される単色画像の表示特性としての色相、彩度、明度、ならびに外部空間内に一様に分布する光としての環境光の照度と色度のうちの所定数を除く残りの全部のパラメータをそれぞれ固定値に設定する固定値設定ステップと、
前記背景の表示特性としての色相、彩度、明度および前記表示部に表示される単色画像の表示特性としての色相、彩度、明度、ならびに外部空間内に一様に分布する光としての環境光の照度と色度のすべての組み合わせと、それぞれの視認性とを対比させた認性特性テーブルを用いて、前記固定値設定ステップで固定値に設定しなかった所定数のパラメータについて視認性が適正となる値に設定する残りパラメータ値設定ステップ
とを具備することを特徴とする画面処理方法。
【請求項８】
表示部に表示される背景の表示特性としての色相、彩度、明度および前記表示部に表示される単色画像の表示特性としての色相、彩度、明度、ならびに外部空間内に一様に分布する光としての環境光の照度と色度の全部のパラメータを固定値に仮に設定する初期設定ステップと、
この初期設定ステップで全部のパラメータを固定値に仮に設定したとき、前記視認性特性テーブルを用いてその際の表示部の視認性を算出する視認性値算出ステップと、
この視認性値算出ステップで算出された視認性が予め定めておいたしきい値を越えるか否かを判別する比較ステップと、
この比較ステップで前記しきい値を越えていると判別されたとき前記初期設定ステップで仮に設定したすべての固定値を固定値として確定させて前記表示部に表示される背景と文字を表示し、そうでないときには前記固定値設定ステップ以降の処理を行う比較後処理分岐ステップ
とを具備することを特徴とする請求項７記載の画面処理方法。
【請求項９】
表示部を備えた情報処理装置のコンピュータに、
前記表示部に表示される背景の表示特性としての色相、彩度、明度および前記表示部に表示される単色画像の表示特性としての色相、彩度、明度、ならびに外部空間内に一様に分布する光としての環境光の照度と色度のうちの所定数を除く残りの全部のパラメータをそれぞれ固定値に設定する固定値設定処理と、
前記背景の表示特性としての色相、彩度、明度および前記表示部に表示される単色画像の表示特性としての色相、彩度、明度、ならびに外部空間内に一様に分布する光としての環境光の照度と色度のすべての組み合わせと、それぞれの視認性とを対比させた認性特性テーブルを用いて、前記固定値設定処理で固定値に設定しなかった所定数のパラメータについて視認性が適正となる値に設定する残りパラメータ値設定処理
とを実行させることを特徴とする画面処理プログラム。
【請求項１０】
前記表示部に表示される背景の表示特性としての色相、彩度、明度および前記表示部に表示される単色画像の表示特性としての色相、彩度、明度、ならびに外部空間内に一様に分布する光としての環境光の照度と色度の全部のパラメータを固定値に仮に設定する初期設定処理と、
この初期設定処理で全部のパラメータを固定値に仮に設定したとき、前記視認性特性テーブルを用いてその際の表示部の視認性を算出する視認性値算出処理と、
この視認性値算出処理で算出された視認性が予め定めておいたしきい値を越えるか否かを判別する比較処理と、
この比較処理で前記しきい値を越えていると判別されたとき前記初期設定処理で仮に設定したすべての固定値を固定値として確定させて前記表示部に表示される背景と文字を表示し、そうでないときには前記固定値設定処理以降の処理を行う比較後処理分岐処理
とを実行することを特徴とする請求項９記載の画面処理プログラム。
【発明の詳細な説明】
【技術分野】
【０００１】
本発明は、液晶ディスプレイ等の表示用の画面を備えた画面処理装置、画面の表示を処理する画面処理方法および画面処理プログラムに係わり、特に画面の背景に単色の文字や図形が表示される場合の画面処理装置、画面処理方法および画面処理プログラムに関する。
【背景技術】
【０００２】
携帯電話機、ＰＨＳ（Personal Handyphone System）、ＰＤＡ（Personal Digital Assistants）、携帯用のパーソナルコンピュータ等の情報処理装置の多くは、ユーザに視覚的な情報を提示したり、タッチパネルを併用してデータの入力操作を可能にするために、液晶ディスプレイ等の表示部を備えているのが通常である。これらの情報処理装置のうち、たとえばオフィスの机上で使用されるデスクトップタイプのパーソナルコンピュータは、そのディスプレイの位置が固定されている場合が多い。このため、オフィス空間に一様に分布する光としての環境光の照度や色度は、屋外と比較すると大幅に安定している場合が多い。
【０００３】
一方、携帯電話機に代表される携帯型の情報処理装置の場合には、そのディスプレイに対する環境光が情報処理装置の移動やユーザの使用態様と共に大きく変化する可能性がある。そこで、使用形態に応じて表示対象の視認性を制御するようにした技術が本発明の第１の関連技術として提案されている（たとえば特許文献１参照）。
【０００４】
図１４は、この第１の関連技術における画面処理装置の要部を表わしたものである。画面処理装置９００は、液晶ディスプレイ等の表示部９０１と、各種機能キーやテンキー等の入力装置９０２と、表示部９０１に関する設定値（輝度、コントラスト、色合い、フォント色、表示エリアのサイズ）を変更可能に保持したデータ記憶装置９０３と、明度を検出する光センサ９０４を視認力制御装置９０５に接続した構成となっている。視認力制御装置９０５は、表示対象と背景との間の色相、彩度、明度の少なくとも１つの差異が小さくなるように制御するようになっている。
【０００５】
この画面処理装置９００は、表示モードとしては、プライバシモード、ドライブモード、屋外モード、屋内モード、その他（ユーザ設定値）にモード設定を行うことができる。たとえばプライバシモード（デフォルトモード）では、背景が白で、文字が黒であれば、文字を灰色（グレー）にするとか、背景が赤で、文字が白であれば、文字をピンクにするように設定して、視認力を落とし、プライバシを保護するようにしている。また、ドライブモードでは表示対象の表示範囲の全体を制限して、メール内容などを表示させないようにしている。
【０００６】
このように、第１の関連技術によれば、表示対象と背景との間の色相、彩度、明度の少なくとも１つの差異が小さくなるように制御する。したがって、テキスト情報の視認性が下がることになる。このため、電子メールの内容を読んだり、文章を作成するといった用途には不向きとなる。
【０００７】
そこで、外部輝度に対応してデスクトップ環境を選択して、画面に反映させることで、視認性の良い画面表示を行うことが第２の関連技術として提案されている（たとえば特許文献２参照）。ここで、デスクトップ環境の選択とは、液晶ディスプレイのバックライト値、コントラスト値、フォントの種類、フォントサイズ、背景色の選択をいうものとされている。
【０００８】
しかしながら、この第２の関連技術では、情報処理装置の周囲の輝度としての「外部輝度」を測定している。「外部輝度」とは、第２の関連技術の場合、表示画面以外の物体の輝きの度合いである。情報処理装置の表示部の視認性は、その表示部に及ぼす光の総量としての照度に大きく影響を受ける。たとえば、携帯電話機を晴れた日の屋外に持っていくと、バックライトとして液晶の裏面から発する通常の光量に比較して液晶ディスプレイ等の表示部に太陽から照射する光量が圧倒的に多くなる。このため、バックライトの光量を増加させないと表示部に表示された文字等の画像を判別しにくくなる。これは、太陽や太陽光によって反射した家屋の輝度等の「外部輝度」とは全く無関係の「照度」を原因とするものである。
【０００９】
一方、映像表示装置周辺の照明の影響により、ユーザに認知される映像の色特性変化が生じるので、これを防止することが第３の関連技術として提案されている（たとえば特許文献３参照）。この第３の関連技術では、照明の種類に関する情報と、照明の輝度に関する情報とを含む照明特性データを獲得する。そして、この獲得した照明特性データを、照明光の種類に関する情報を表わすタイプブロックおよび照明光の輝度に関する情報を表す輝度ブロックよりなるデータフォーマットに変換するようにしている。
【００１０】
また、第４の関連技術として、周囲光の色成分を検出し検出した色成分情報に基づいて入力される画像信号を形成する複数の色コンポーネント信号の色ゲインを調整する技術も提案されている（たとえば特許文献４参照）。
【特許文献１】２００６−１２６４６１号公報（第００１５段落、第００１８段落、図１）
【特許文献２】特開２０００−３１０９８３号公報（特許第３３３９０５２号）（第００４４段落、図２）
【特許文献３】特開２００４−２１２９６９号公報（第０００３段落、第０００５段落、図１）
【特許文献４】特開平１１−３５５７９７号公報（第００１９段落、第００２１段落、図３）
【発明の開示】
【発明が解決しようとする課題】
【００１１】
しかしながら、第３の関連技術は、表示装置に表示される映像のカラー特性を、入力された本来の映像のカラー特性と測色的に一致させる技術に関するものであって、本発明とは技術の基盤および解決する課題そのものが相違する。第４の関連技術も、外部光源の色温度に関わらず常に最適な色再現による表示を実現しようとするものであって、第３の関連技術と同様に本発明と似て非なる技術である。
【００１２】
そこで本発明の目的は、表示部の周囲の環境に応じて、表示内容の視認に適する画面を実現する画面処理装置、画面処理方法および画面処理プログラムを提供することを目的とする。
【課題を解決するための手段】
【００１３】
本発明では、（イ）表示部と、（ロ）この表示部に表示される背景の表示特性としての背景表示特性を設定する背景表示特性設定手段と、（ハ）前記した表示部に表示される単色画像の表示特性としての単色画像表示特性を設定する単色画像表示特性設定手段と、（ニ）外部空間内に一様に分布する光としての環境光の照度と色度をそれぞれ設定する環境光設定手段と、（ホ）この環境光設定手段で設定される環境光の照度と色度と、前記した背景表示特性設定手段で設定される背景表示特性および単色画像表示特性設定手段で設定される単色画像表示特性と、前記した表示部における前記した単色画像を明確に認識することができる度合いとしての視認性の関係を予め記載した視認性特性テーブルを格納した視認性特性テーブル格納手段と、（ヘ）この視認性特性テーブル格納手段に格納されたパラメータとしての前記した環境光の照度と色度と、前記した背景表示特性および前記した単色画像表示特性のうちの任意に選択された所定数のパラメータとしての選択パラメータを除いた残りの全部のパラメータとしての非選択パラメータを固定値に設定する第１の固定値設定手段と、（ト）この第１の固定値設定手段によって前記した非選択パラメータを固定値に設定した状態で前記した視認性特性テーブル格納手段を参照して前記した視認性が適正となる値で前記した表示部の表示が行われるように前記した背景表示特性設定手段あるいは単色画像表示特性設定手段の設定値を調整する設定手段調整手段とを画面処理装置が具備する。
【００１４】
また、本発明では、（イ）表示部に表示される背景の表示特性としての色相、彩度、明度および前記した表示部に表示される単色画像の表示特性としての色相、彩度、明度、ならびに外部空間内に一様に分布する光としての環境光の照度と色度のうちの所定数を除く残りの全部のパラメータをそれぞれ固定値に設定する固定値設定ステップと、（ロ）前記した背景の表示特性としての色相、彩度、明度および前記した表示部に表示される単色画像の表示特性としての色相、彩度、明度、ならびに外部空間内に一様に分布する光としての環境光の照度と色度のすべての組み合わせと、それぞれの視認性とを対比させた認性特性テーブルを用いて、前記した固定値設定ステップで固定値に設定しなかった所定数のパラメータについて視認性が適正となる値に設定する残りパラメータ値設定ステップとを画面処理方法が具備する。
【００１５】
更に本発明では、表示部を備えた情報処理装置のコンピュータに、画面処理プログラムとして、（イ）前記した表示部に表示される背景の表示特性としての色相、彩度、明度および前記した表示部に表示される単色画像の表示特性としての色相、彩度、明度、ならびに外部空間内に一様に分布する光としての環境光の照度と色度のうちの所定数を除く残りの全部のパラメータをそれぞれ固定値に設定する固定値設定処理と、（ロ）前記した背景の表示特性としての色相、彩度、明度および前記した表示部に表示される単色画像の表示特性としての色相、彩度、明度、ならびに外部空間内に一様に分布する光としての環境光の照度と色度のすべての組み合わせと、それぞれの視認性とを対比させた認性特性テーブルを用いて、前記した固定値設定処理で固定値に設定しなかった所定数のパラメータについて視認性が適正となる値に設定する残りパラメータ値設定処理とを実行させることを特徴とする。
【発明の効果】
【００１６】
以上説明したように本発明によれば、表示部に背景と単色の画像を組み合わせて表示するとき、これらの表示特性を表わすパラメータと環境光の照度と色度のパラメータの１つだけを残して残りのパラメータを固定値に設定し、固定値に設定しなかったパラメータについては、表示部に背景と単色の画像を組み合わせて表示するときの視認性が適正となる値に調整するようにした。したがって、ユーザの選択した配色や環境光の測定結果に全体として従いながら、人間の視覚特性に基づいて画面の視認性を高めることができる。
【発明を実施するための最良の形態】
【００１７】
図１は、本発明の画面処理装置のクレーム対応図を示したものである。画面処理装置１０は、表示部１１と、この表示部１１に表示される背景の表示特性としての背景表示特性を設定する背景表示特性設定手段１２と、表示部１１に表示される単色画像の表示特性としての単色画像表示特性を設定する単色画像表示特性設定手段１３と、外部空間内に一様に分布する光としての環境光の照度と色度をそれぞれ設定する環境光設定手段１４と、この環境光設定手段１４で設定される環境光の照度と色度と、背景表示特性設定手段１２で設定される背景表示特性および単色画像表示特性設定手段１３で設定される単色画像表示特性と、表示部１１における単色画像を明確に認識することができる度合いとしての視認性の関係を予め記載した視認性特性テーブルを格納した視認性特性テーブル格納手段１５と、この視認性特性テーブル格納手段１５に格納されたパラメータとしての環境光の照度と色度と、背景表示特性および単色画像表示特性のうちの任意に選択された所定数のパラメータとしての選択パラメータを除いた残りの全部のパラメータとしての非選択パラメータを固定値に設定する第１の固定値設定手段１６と、この第１の固定値設定手段１６によって非選択パラメータを固定値に設定した状態で視認性特性テーブル格納手段１５を参照して視認性が適正となる値で表示部１１の表示が行われるように背景表示特性設定手段１２あるいは単色画像表示特性設定手段１３の設定値を調整する設定手段調整手段１７を備えている。
【００１８】
また、図２は、本発明の画面処理方法のクレーム対応図を示したものである。本発明の画面処理方法２０は、表示部に表示される背景の表示特性としての色相、彩度、明度および表示部に表示される単色画像の表示特性としての色相、彩度、明度、ならびに外部空間内に一様に分布する光としての環境光の照度と色度のうちの所定数を除く残りの全部のパラメータをそれぞれ固定値に設定する固定値設定ステップ２１と、背景の表示特性としての色相、彩度、明度および表示部に表示される単色画像の表示特性としての色相、彩度、明度、ならびに外部空間内に一様に分布する光としての環境光の照度と色度のすべての組み合わせと、それぞれの視認性とを対比させた認性特性テーブルを用いて、固定値設定ステップ２１で固定値に設定しなかった所定数のパラメータについて視認性が適正となる値に設定する残りパラメータ値設定ステップ２２とを備えている。
【００１９】
更に、図３は、本発明の画面処理プログラムのクレーム対応図を示したものである。本発明の画面処理プログラム３０は、表示部を備えた情報処理装置のコンピュータに、表示部に表示される背景の表示特性としての色相、彩度、明度および表示部に表示される単色画像の表示特性としての色相、彩度、明度、ならびに外部空間内に一様に分布する光としての環境光の照度と色度のうちの所定数を除く残りの全部のパラメータをそれぞれ固定値に設定する固定値設定処理３１と、背景の表示特性としての色相、彩度、明度および表示部に表示される単色画像の表示特性としての色相、彩度、明度、ならびに外部空間内に一様に分布する光としての環境光の照度と色度のすべての組み合わせと、それぞれの視認性とを対比させた認性特性テーブルを用いて、固定値設定処理３１で固定値に設定しなかった所定数のパラメータについて視認性が適正となる値に設定する残りパラメータ値設定処理３２とを実行させるようにしている。
【００２０】
次に本発明を幾つかの実施の形態に基づいて説明する。
【００２１】
＜実施の形態＞
【００２２】
図４は、本発明の実施の形態に基づく画面処理装置の構成を表わしたものである。画面処理装置１００は、キーボードに代表されるデータの入力部１０１と、環境光の照度を測定する照度計１０２と、同じく環境光の色度を測定する色度計１０３と、表示用の液晶ディスプレイに代表される出力部１０４を備えている。画面処理装置１００は、たとえば携帯電話機、ＰＨＳ（Personal Handyphone System）、ノート型のパーソナルコンピュータ、電子辞書等の多くの情報処理装置として構成することができる。画面処理装置１００は、ＣＰＵ（Central Processing Unit）１０５と、このＣＰＵ１０５が実行する制御プログラムを格納したメモリ１０６を備えた主制御部１０７を有している。ＣＰＵ１０５が制御プログラムを実行することで、画面処理装置１００はソフトウェア的に各種の機能部品を実現することができる。もちろん、このような機能部品の一部または全部をハードウェアで実現することもできる。
【００２３】
本実施の形態の画面処理装置１００の場合には、機能部品として表示属性計算部１０８と、視認性特性情報記憶部１０９を備えている。視認性特性情報記憶部１０９には、人間の視覚特性に基づく画面配色や環境光と視認性との関係としての視認性特性情報が記載された視認性特性情報リストが記憶されている。視認性特性情報は、表形式で記載されたものであってもよいし、グラフ形式で記載されたものであってもよいし、関数式形式で記載されたものであってもよい。表示属性計算部１０８は、入力部１０１からユーザの入力として画面配色の情報を受け取る。また、照度計１０２と色度計１０３から画面処理装置１００に与えられる環境光の情報を受け取る。そして、画面配色と環境光をキーとして、視認性特性情報記憶部１０９から視認性特性情報リストにおける対応する情報を取り出す。具体的には、入力された画面配色の属性値の一部と、入力された環境光の属性値の全部を固定した条件で、画面配色と視認性の関係が記載された視認性特性情報リストの中から、たとえば必要な表を取り出すようになっている。
【００２４】
図５は、視認性特性情報リストと、その一部を具体的に表わしたものである。本実施の形態では視認性特性情報リスト１１１は、環境光と表示の配色および視認性を各場合について記述した表としての視認性特性情報表１１２1〜１１２Mの集合となっている。ここでは、そのうちの視認性特性情報表１１２1の内容を具体的に表わしている。本実施の形態では、環境光について照度と色度の２つのパラメータを測定するようにしており、これは、図４に示した照度計１０２から得られた照度と、色度計１０３から得られた色度である。
【００２５】
視認性特性情報表１１２1〜１１２Mには、図４に示した出力部１０４を構成する具体的なディスプレイの背景色と、単色の文字や図形（以下、単に「文字」という。）からなる文字色について、それぞれ色相、彩度および明度についての値が記述されている。視認性特性情報表１１２1〜１１２Mは、色度をＸＹＺ表色系で、配色はＨＳＬ色空間（Ｈ：色相、Ｓ：彩度、Ｌ：明度）で表わしている。このうち、視認性特性情報表１１２1は、環境光の照度が０ｌｘ（ルクス）で、色度を（Ｘ，Ｙ）座標で表わした場合の「Ｘ＝０」、「Ｙ＝０」の場合で、出力部１０４に表示される背景色が色相０゜、彩度０％、明度０％で、かつディスプレイの文字色の色相が６０°の場合を示している。そして、このように環境光の照度と色度、背景色の色相、彩度および明度、ならびにディスプレイの文字色の色相をこれらの値に固定した状態での、文字色についての彩度を各値に変化させた場合における文字色の明度の変化と視認性の関係を示している。
【００２６】
この視認性特性情報表１１２1では、文字色の彩度も１００％に固定したとする。この場合には、文字色の明度と視認性との関係が表示枠１１４の範囲内で示される。したがって、一例として、図４に示した照度計１０２から得られる照度が仮に０ｌｘ（ルクス）で、色度計１０３から得られる色度が「Ｘ＝０」、「Ｙ＝０」の場合で、出力部１０４を構成するディスプレイに表示されている背景色の色相が０°、彩度および明度が０％で、文字色の色相が６０°で彩度が１００％に指定されているとする。この場合には、文字色の明度が０％のときには視認性が−２．０と非常に低くなり、文字色の明度が４０％のときには視認性が１．８と、２つのパラメータの組み合わせの中で最高となる。したがって、この例では文字色の明度を４０％にすれば、他の条件（パラメータ）を固定した状態で、ディスプレイにおける文字の視認性が最高になる。そこで点線１１５で囲んだこの組み合わせが表示のために選択されることになる。
【００２７】
図６は、この例における出力部としてのディスプレイの表示状態を示したものである。図４および図５と共に説明する。
【００２８】
一例として示した図６で、背景１２１は黒色であり、「あいうえお」と記した文字１２２は黄色となっている。画面処理装置１００のディスプレイ（出力部１０４）で選択する背景の色を入力部１０１を通じて変更したり、文字色の色相や彩度を変更した場合、あるいは画面処理装置１００自体を現在と異なった環境光の下に置いた場合には、視認性を最高にする文字色の明度が現在の明度と異なる場合もあり得ることになる。
【００２９】
表示属性計算部１０８は、入力部１０１から与えられる固定値と、照度計１０２と色度計１０３から得られる測定値を基にして、視認性特性情報リスト１１１を構成する視認性特性情報表１１２1〜１１２Mの中から対象となる表を抽出し、残った１つのパラメータ（この例の場合には文字色の明度）について、視認性が最高となる値を計算することになる。
【００３０】
なお、画面処理装置１００が固定的な室内環境のオフィスに配置されているような場合、このような表示属性の計算を行う場合に、照度計１０２や色度計１０３を装置の構成から外してもよい。すなわち、照度や色度の測定値に代わる固定値を入力部１０１から入力するようにしても、そのオフィスに配置されている画面処理装置１００の視認性を最高に制御することが可能である。
【００３１】
図７は、本実施の形態における画面処理装置の視認性を設定する処理の様子を表わしたものである。ここでは、ユーザがメール本文を読んだり書いたりするときの、画面としての出力部に表示される背景色と文字色を設定する処理を例として説明する。図４と共に説明する。
【００３２】
ユーザは、まず視認性をよい状態にするために入力部１０１を操作して、視認性設定メニュー画面を出力部１０４に表示する（ステップＳ２０１）。
【００３３】
図８は、出力部に表示される視認性設定メニュー画面の一例を示したものである。視認性設定メニュー画面１３１には、ラジオボタンが表示され、ユーザが背景色と文字色の色相、彩度および明度について、１つだけ視認性の設定について環境光に合わせて自動調整するものを選択するようになっている。選択が終了したら、ユーザは設定ボタン１３２を押す。図４に示した画面処理装置１００の出力部１０４がタッチパネルを備えていない場合には、入力部１０１における設定ボタン１３２に対応するキーあるいはボタンスイッチを押下するようにしてもよい。先に示した例では、残った１つのパラメータが文字色の明度であったので、この例の場合には「文字色の明度」という項目のラジオボタンをチェックして、設定ボタン１３２を押すことになる。
【００３４】
設定ボタン１３２の押下あるいはこれに対応する処理が行われると（図７ステップＳ２０２：Ｙ）、ユーザは背景色および文字色のうちの自動調整の対象とならなかった方の色の全属性を選択する（ステップＳ２０３）。前に説明した例では「文字色の明度」が自動調整の対象となったので、背景色の色相、彩度および明度という３属性を固定のためにユーザに具体的に選択させることになる。たとえば、色の各状態を表わしたサンプルを出力部１０４に表示して、ユーザに色相、彩度および明度の各指定によって特定された１色を選択させればよい。
【００３５】
このようにして自動調整の対象とならなかった方の色の全属性の選択が終了すると（ステップＳ２０４：Ｙ）、今度は自動調整の対象となった方の色の固定する２つの属性についてこれらの値を具体的に選択させる（ステップＳ２０５）。このようにして環境光以外のパラメータについて１つを除いた全パラメータが固定されたら、環境光の照度と色度を照度計１０２と色度計１０３で測定して（ステップＳ２０６）、これらの値も測定値に固定することになる。
【００３６】
この状態で、表示属性計算部１０８は図８の視認性設定メニュー画面１３１で選択したパラメータを変化させたときの視認性が最高となるそのパラメータに関する属性値を、視認性特性情報記憶部１０９の視認性特性情報リスト１１１を用いて算出する（ステップＳ２０７）。そして、この算出した属性値を基にして、他の固定された属性値と共に背景色の色相、彩度および明度と、文字色の色相、彩度および明度を定めて、文字あるいは記号からなるサンプルを出力部１０４に実際に表示する（ステップＳ２０８）。
【００３７】
ユーザは、背景色を背景とした図６に示すようなサンプルを見て、それが所望のものであるかどうかを判別する。サンプルとして示されたものは、固定したパラメータを前提として視認性が高いものではあるが、基となる固定されたパラメータの固定値としての色相、彩度あるいは明度に問題があり、結果的に視認性があまりよくない場合もあるからである。結果が良好であれば、ユーザは入力部１０１から「決定」を選択する（ステップＳ２０９：Ｙ）。この場合には、環境光の測定値を除く固定する全属性をメモリ１０６に記憶して（ステップＳ２１０）、設定のための処理を終了する（エンド）。
【００３８】
この一方で、サンプルの表示結果が満足できない場合、ユーザは今まで行った視認性の設定処理の結果を、入力部１０１からの入力によってキャンセルする（ステップＳ２０９：Ｎ、ステップＳ２１１：Ｙ）。この場合、処理がステップＳ２０１に戻る。この段階で、ユーザは、たとえば背景色や文字色のうちの自動調整するパラメータを先に選択した以外のものに変更して、これによる視認性の効果を確認することになる。ここで、たとえば背景色の色相が自動調整するパラメータとして選択された場合には、文字色の色相と配色上で視認性が高い色相が選ばれることになる。
【００３９】
図９は、視認性について満足する結果が得られた場合の画面処理装置の視認性調整処理の様子を表わしたものである。図４と共に説明する。
【００４０】
画面処理装置１００の電子メールの読み書きを行うような所定のアプリケーションソフトウェアが起動すると（ステップＳ２３１：Ｙ）、主制御部１０７はメモリ１０６から背景色および文字色についての固定した全属性を読み出す（ステップＳ２３２）。ここで、所定のアプリケーションソフトウェアとは、出力部１０４の少なくも一部の領域で、単色の背景色に単色の文字や記号、図形が表示されるソフトウェアをいう。
【００４１】
ステップＳ２３２の処理が行われたら、主制御部１０７は照度計１０２および色度計１０３に指示を送って環境光の照度および色度を測定する（ステップＳ２３３）。ただし、このステップＳ２３３の処理はステップＳ２３２の処理の前に行われてもよいし、時間的に並行して行われてもよい。また、ステップＳ２３１で所定のアプリケーションソフトウェアが起動した状態では照度計１０２および色度計１０３が常に作動して、それらの最新の測定値をメモリ１０６の特定の領域に上書き保存するようにしてもよい。この場合には、ステップＳ２３３の処理が行われるタイミングで、この特定の領域に保存されている最新の測定結果を読み出して環境光の照度および色度の測定結果とすればよい。
【００４２】
ステップＳ２３３で環境光の照度および色度の測定結果が得られたら、主制御部１０７は表示属性計算部１０８を用いてその時点で視認性が最高となる残りの１つの属性値を算出する（ステップＳ２３４）。この算出に際して、視認性特性情報リスト１１１が使用されることは図８の処理と同様である。ただし、ステップＳ２３３で得られた環境光の照度および色度の測定結果が前回得られた値と同一の場合には、ステップＳ２３４の処理を省略することができる。この場合には、視認性が最高となる残りの１つの属性値が前回得られた値と同一になるため、算出処理が無駄になるからである。
【００４３】
以上のようにして視認性が最高となる残りの１つの属性値が確定したら、すべての属性値が確定する。そこで、これらの属性値を用いて、表示対象の文字（記号、図形を含む）からなる情報を背景色と文字色の組み合わせで出力部１０４に表示する（ステップＳ２３５）。この時点で、ステップＳ２３１で起動したアプリケーションソフトウェアの処理が終了したかがチェックされる（ステップＳ２３６）。そして、処理が終了していない場合には（Ｎ）、環境光が変化する可能性があるので、ステップＳ２３３に戻って現時点の照度および色度を測定する。そして、照度および色度あるいはこれらの一方が変化している場合には、これに応じて視認性が最高となる属性値が算出されて（ステップＳ２３４）、出力部１０４の表示に反映されることになる（ステップＳ２３５）。
【００４４】
すなわち、ユーザが画面処理装置１００を持ち歩いたり、一カ所に固定して使用する場合であっても天候や照明条件が異なると、これによる環境光の変化に対応して視認性がそれぞれの時点で最高になるような制御が行われる。ステップＳ２３１で起動したアプリケーションソフトウェアの処理が終了すれば（ステップＳ２３６：Ｙ）、以上説明した視認性の調整のための処理も終了する（エンド）。
【００４５】
以上説明した本発明の実施の形態では、画面処理装置１００に照度計１０２と色度計１０３を備えたので、出力部１０４としての表示画面の背景に文字を表示するときだけでなく、画像を表示する際にもこれらの測定結果を利用することができる。たとえば、液晶ディスプレイにバックライトを用いて一般的な画像情報を表示するとき、照度計１０２と連動させてバックライトの光量を制御することができる。また、色度計１０３を用いて環境光の変化を測定することで、周囲の色度の変化に応じてカラー画像の調整を行うことで、画像のより正確なカラー表示が可能になる。
【００４６】
＜発明の第１の変形例＞
【００４７】
図１０は、本発明の第１の変形例における画面処理装置の構成を表わしたものである。図１０で図４と同一部分には同一の符号を付しており、これらの説明を適宜省略する。
【００４８】
第１の変形例の画面処理装置１００Ａでは、表示属性計算部１０８に新たに環境光読み替え情報記憶部３０１が接続されている。環境光読み替え情報記憶部３０１は先の実施の形態の照度計１０２および色度計１０３に代わって照度と色度の推定値を出力するものであり、ＧＰＳ回路３０２および天候判別部３０３と接続されている。
【００４９】
ここでＧＰＳ回路３０２は、複数の人工衛星からの電波を受信して画面処理装置１００Ａの現在位置を測定する回路である。また、ＧＰＳ回路３０２は、複数の人工衛星からの電波を受信するという条件から、空をある程度の角度範囲で見上げることができるか否かの判別を行って、画面処理装置１００Ａが屋内に存在するか屋外に存在するかの大まかな推定も行える。更に、ＧＰＳ回路３０２は人工衛星からの電波を処理する過程で現在時刻を取得できる。
【００５０】
天候判別部３０３は、地域ごとの天候を判別する機能部である。この天候判別部３０３は、画面処理装置１００Ａが図示しないネットワークに接続された状態で、各地域の現在の天候を取得するようになっている。天候は、晴れ、曇り、雨といった単純なものでよく、携帯電話機やＰＨＳ等の通信機能を備えた情報処理装置が受信する天気予報や天候情報をそのまま使用することができる。
【００５１】
環境光読み替え情報記憶部３０１は、画面処理装置１００Ａが屋外に存在するとき、ＧＰＳ回路３０２によって得られる位置情報と天候判別部３０３によって得られる各地の天気情報を用いて画面処理装置１００Ａの存在する場所の天候を判別することができる。また、ＧＰＳ回路３０２によって得られる日時を示す情報を併せて用いることで、画面処理装置１００Ａが屋外に存在する場合における照度や色温度を推定することができる。
【００５２】
すなわち、環境光読み替え情報記憶部３０１には、地域と日時と天候に応じた屋外における照度と色温度の測定結果が書き込まれている。また、屋内についてはユーザの画面処理装置１００Ａが配置される場所の照明器具の種類等の照明環境に応じた照度や色温度が測定結果として予め入力されている。なお、画面処理装置１００Ａがインターネット等のネットワークから天候情報を取得できない場合には、ユーザが入力部１０１からその時々の天候情報を手入力できるようにしていてもよいし、気圧計や湿度計を画面処理装置１００Ａに具備させて天候を予測させることも可能である。
【００５３】
このように第１の変形例の画面処理装置１００Ａは、環境光読み替え情報記憶部３０１が実施の形態で示した画面処理装置１００の測定した照度計１０２および色度計１０３の測定結果を推定した値を出力することができる。このため、推定した照度および色度を用いて、実施の形態と同様に背景色に単色で表わした文字を表示する場合について、視認性が最高に高くなる組み合わせを選択することができる。たとえば、夕焼けや朝日が上がるときの色温度は約２００Ｋ（ケルビン）であり、昼間の通常の太陽光の色温度が５０００〜６０００Ｋであるのと比べると色温度が大きく相違する。環境光読み替え情報記憶部３０１に、このような環境光の定性的な値（赤っぽい、青っぽい等）に基づく視認性特性情報を記憶しておくことで、屋外等で変動する色温度に対しても常に画面の視認性を良好に維持することができる。
【００５４】
以上説明した本発明の第１の変形例によれば、携帯電話機等の携帯型の情報処理装置に多く採用されているＧＰＳ回路３０２やネットワーク上で容易に取得できる天候情報を用いることで、照度計や色度計といった特別のデバイスを使用することなく、人間の視覚特性に基づく画面配色や彩度、明度の組み合わせで、画面の表示における視認性を容易に高めることができる。
【００５５】
＜発明の第２の変形例＞
【００５６】
図１１は、本発明の第２の変形例における画面処理装置の構成を表わしたものである。図１１で図４と同一部分には同一の符号を付しており、これらの説明を適宜省略する。
【００５７】
第２の変形例の画面処理装置１００Ｂでは、表示属性計算部１０８Ｂに、キーボードに代表されるデータの入力部１０１と、表示用の液晶ディスプレイに代表される出力部１０４と、視認性特性情報記憶部１０９が接続されている。図４に示した実施の形態における照度計１０２や色度計１０３は配置されておらず、図１０に示した第１の変形例における環境光読み替え情報記憶部３０１も配置されていない。
【００５８】
すなわち、第２の変形例の画面処理装置１００Ｂでは、ユーザが入力部１０１から環境光の照度および色度と、出力部１０４としてのディスプレイの背景色および文字色の色相、彩度ならびに明度のすべてのパラメータの中から１つを除くすべての値を入力するようにしている。表示属性計算部１０８Ｂは、視認性特性情報記憶部１０９を参照して、入力されなかった１つのパラメータの各種の採り得る値と、その値を採用した場合の視認性を比較する。そして、図５の点線１１５で囲んだ組み合わせのように視認性が最高となる表示形態で出力部１０４が表示を行うことになる。
【００５９】
なお、ユーザが入力部１０１から入力するデータは、必ずしも具体的な数値である必要はない。たとえば環境光の照度や色度を例に挙げると、出力部１０４を構成するディスプレイに環境光の照度や色度を大まかに分類して、これらに対応した図柄や簡略化された色度図を表示して、これらをタッチパネル形式で選択させてデータの入力を行うようにしてもよい。このときの照度の図柄は、晴れ、曇り、雨や、昼間、朝夕を示すものであってもよい。これは、昔のカメラでシャッタスピードや露光量を示す目安として用いられたものと同様である。
【００６０】
また、たとえば直線状のスライダを画面にそれぞれ表示して、これらの標準となる中央の値を「０」に設定すると共に、プラス方向とマイナス方向にポインタを移動可能にすることで、ユーザが色相、彩度および明度のそれぞれを視覚的に入力するようにしてもよい。これは、画像編集用のソフトウェアで色相や彩度を指定する手法として広く採用されている。
【００６１】
表示属性計算部１０８Ｂは、その計算結果を画像に反映させて出力部１０４に出力することを説明したが、これに限るものではない。たとえば、表示属性計算部１０８Ｂの計算した表示属性の値を、文字（データ）として出力してもよい。この場合、画面処理装置１００Ｂは計算結果を他の装置に入力することで、実際の表示を視認性の高いものとすることができる。
【００６２】
＜発明の第３の変形例＞
【００６３】
図１２は、本発明の第３の変形例における画面処理装置の構成を表わしたものである。図１２で図４と同一部分には同一の符号を付しており、これらの説明を適宜省略する。
【００６４】
第３の変形例の画面処理装置１００Ｃでは、表示属性計算部１０８Ｃに、キーボードに代表されるデータの入力部１０１と、環境光の照度を計る照度計１０２と、同じく環境光の色度を計る色度計１０３と、表示用の液晶ディスプレイに代表される出力部１０４と、視認性特性情報記憶部１０９の他に、視認性しきい値設定部４０１が接続されている。主制御部１０７Ｃは、この第３の変形例の画面処理装置１００Ｃに対応する制御を行う制御プログラムを格納したメモリ１０６Ｃを備えている。
【００６５】
視認性しきい値設定部４０１は、一般に視認性が良好と認められる基準値をしきい値として格納している。そして、ユーザが入力部１０１から出力部１０４としてのディスプレイの背景色および文字色の色相、彩度ならびに明度のすべてのパラメータを入力したとき、この結果算出される値がしきい値を上回る視認性となるかをチェックするようにしている。
図１３は、第３の変形例における画面処理装置の視認性を設定する処理の様子を表わしたものである。ここでも、ユーザがメール本文を読んだり書いたりするときの、画面としての出力部に表示される背景色と文字色を設定する処理を例として説明する。図１２と共に説明する。
【００６６】
ユーザは、まず視認性をよい状態にするために入力部１０１を操作して、背景色および文字色の色相、彩度ならびに明度の入力を行う（ステップＳ５０１）。このようにして背景色および文字色の全パラメータが固定されたら、環境光の照度と色度を照度計１０２と色度計１０３で測定して（ステップＳ５０２）、これらの値も測定値に固定する。
【００６７】
この条件で、表示属性計算部１０８Ｃは視認性特性情報記憶部１０９を使用して視認性を算出する（ステップＳ５０３）。そして、この値が視認性しきい値設定部４０１に予め入力されているしきい値を越えているかを判別する（ステップＳ５０４）。算出した視認性の値がしきい値を越えている場合には（Ｙ）、環境光の測定値を除く固定する全属性をメモリ１０６に記憶して（ステップＳ５０５）、設定のための処理を終了する（エンド）。
【００６８】
一方、ステップＳ５０４で算出した視認性の値がしきい値以下の場合には（Ｎ）、視認性をよりよい状態にするために入力部１０１を操作して、視認性設定メニュー画面１３１（図８）を出力部１０４に表示する（ステップＳ５０６）。ここで、ユーザは自動調整するパラメータを１つ設定することになる。その設定が終了すると（ステップＳ５０７：Ｙ）、表示属性計算部１０８Ｃは図８の視認性設定メニュー画面１３１で選択したパラメータを変化させたときの視認性が最高となるそのパラメータに関する属性値を、視認性特性情報記憶部１０９の視認性特性情報リスト１１１（図５）を用いて算出する（ステップＳ５０８）。そして、この算出した属性値を基にして、他の固定された属性値と共に背景色の色相、彩度および明度と、文字色の背景色の色相、彩度および明度を定めて、文字あるいは記号からなるサンプルを出力部１０４に実際に表示する（ステップＳ５０９）。
【００６９】
ユーザは、背景色を背景とした図６に示すようなサンプルを見て、それが所望のものであるかどうかを判別する。サンプルとして示されたものは、固定したパラメータを前提として視認性が高いものではあるが、基となる固定されたパラメータの固定値としての色相、彩度あるいは明度に問題があり、結果的に視認性があまりよくない場合もあるからである。結果が良好であれば、ユーザは入力部１０１から「決定」を選択する（ステップＳ５１０：Ｙ）。この場合には、環境光の測定値を除く固定する全属性をメモリ１０６に記憶して（ステップＳ５０５）、設定のための処理を終了する（エンド）。
【００７０】
この一方で、サンプルの表示結果が満足できない場合、ユーザは今まで行った視認性の設定処理の結果を入力部１０１を用いてキャンセルする（ステップＳ５１０：Ｎ、ステップＳ５１１：Ｙ）。この場合、処理がステップＳ５０６に戻る。この段階で、ユーザは、たとえば背景色や文字色のうちの完全にパラメータを固定する方の色相を変えてみる等の変更を行って、視認性の効果を確認することになる。
【００７１】
なお、以上説明した本発明は携帯型の情報処理装置に限定して適用されるものでないことは当然である。たとえば航空管制システムに使用される情報処理装置は、その視認性が環境光に大きく左右されるものである。オフィスの窓に近い場所に配置された情報処理装置についても同様である。
【００７２】
また、実施の形態では全部のパラメータのうちの１つを除いて固定値としたが、２以上のパラメータを除いて残りを固定値としてもよいことは当然である。視認性についても、最大のものに調整する必要は必ずしもなく、これよりも小さいが適正な値とみられる値に調整されるものであってもよいことは当然である。
【図面の簡単な説明】
【００７３】
【図１】本発明の画面処理装置のクレーム対応図である。
【図２】本発明の画面処理方法のクレーム対応図である。
【図３】本発明の画面処理プログラムのクレーム対応図である。
【図４】本発明の実施の形態に基づく画面処理装置の構成の概要を表わしたブロック図である。
【図５】本実施の形態における視認性特性情報リストと、その一部を具体的に表わした説明図である。
【図６】本実施の形態における出力部としてのディスプレイの表示状態を示した平面図である。
【図７】本実施の形態における画面処理装置の視認性を設定する処理の様子を表わした流れ図である。
【図８】本実施の形態で出力部に表示される視認性設定メニュー画面の一例を示した平面図である。
【図９】本実施の形態で画面処理装置の視認性調整処理の様子を表わした流れ図である。
【図１０】本発明の第１の変形例における画面処理装置の構成を表わしたブロック図である。
【図１１】本発明の第２の変形例における画面処理装置の構成を表わしたブロック図である。
【図１２】本発明の第３の変形例における画面処理装置の構成を表わしたブロック図である。
【図１３】第３の変形例における画面処理装置の視認性を設定する処理の様子を表わした流れ図である。
【図１４】第１の関連技術における画面処理装置の要部を表わしたブロック図である。
【符号の説明】
【００７４】
１０、１００、１００Ａ、１００Ｂ、１００Ｃ  画面処理装置
１１  表示部
１２  背景表示特性設定手段
１３  単色画像表示特性設定手段
１４  環境光設定手段
１５  視認性特性テーブル格納手段
１６  固定値設定手段
１７  設定手段調整手段
２０  画面処理方法
２１  固定値設定ステップ
２２  残りパラメータ値設定ステップ
３０  画面処理プログラム
３１  固定値設定処理
３２  残りパラメータ値設定処理
１０１  入力部
１０２  照度計
１０３  色度計
１０４  出力部
１０５  ＣＰＵ
１０６、１０６Ａ、１０６Ｂ、１０６Ｃ  メモリ
１０７、１０７Ａ、１０７Ｂ、１０７Ｃ  主制御部
１０９  視認性特性情報記憶部
１１１  視認性特性情報リスト
１１２  視認性特性情報表
１２１  背景
１２２  文字
１３１  視認性設定メニュー画面
３０１  環境光読み替え情報記憶部
３０２  ＧＰＳ回路
３０３  天候判別部
４０１  視認性しきい値設定部
【図１】
2010091911.tif 000003
【図２】
2010091911.tif 000004
【図３】
2010091911.tif 000005
【図４】
2010091911.tif 000006
【図５】
2010091911.tif 000007
【図６】
2010091911.tif 000008
【図７】
2010091911.tif 000009
【図８】
2010091911.tif 000010
【図９】
2010091911.tif 000011
【図１０】
2010091911.tif 000012
【図１１】
2010091911.tif 000013
【図１２】
2010091911.tif 000014
【図１３】
2010091911.tif 000015
【図１４】
2010091911.tif 000016